(57)【要約】【課題】  製造業者における固定作業および使用者における取外し作業の両方の合理化を図る。【解決手段】  電動機のハウジングに穿設されたケーブル引込み口に設けられ、電動機外部の電気ケーブルを電動機内部の電気ケーブルと接続するための端子台を保護するために、前記ケーブル引込み口を覆う箱部（１２）と該箱部の開口部を閉鎖する蓋部（１１）とからなる電動機の端子箱（１０）であって、前記電動機外部の電気ケーブルを端子台に接続したのち、箱部と蓋部とを本固定する本固定手段と（３１）、箱部と蓋部とを電動機外部の電気ケーブルを前記端子台に接続しないまま仮固定する仮固定手段（２０、４０）とを具備する電動機の端子箱が提供される。仮固定手段はフックまたは板バネであるのが好ましく、端子箱が、さらに、フックまたは板バネのためのストッパ（２８、２９）を具備するのが望ましい。また、本固定手段はネジでありうる。【選択図】      図２
2006149060.tif 000002
【特許請求の範囲】
【請求項１】
電動機のハウジングに穿設されたケーブル引込み口に設けられ、電動機外部の電気ケーブルを電動機内部の電気ケーブルと接続するための端子台を保護するために、前記ケーブル引込み口を覆う箱部と該箱部の開口部を閉鎖する蓋部とからなる電動機の端子箱であって、
前記電動機外部の電気ケーブルを前記端子台に接続したのち、前記箱部と前記蓋部とを本固定する本固定手段と、
前記箱部と前記蓋部とを前記電動機外部の電気ケーブルを前記端子台に接続しないまま仮固定する仮固定手段とを具備する前記電動機の端子箱。
【請求項２】
前記仮固定手段がフック部材または板バネである請求項１に記載の電動機の端子箱。
【請求項３】
さらに、前記フック部材または板バネのためのストッパを具備する請求項２に記載の電動機の端子箱。
【請求項４】
前記仮固定手段が前記箱部に付加された部材と前記蓋部に付加された部材とを嵌合させて形成されたことを特徴とする請求項１に記載の電動機の端子箱。
【請求項５】
前記本固定手段がネジである請求項１から４のいずれか一項に記載の電動機の端子箱。
【発明の詳細な説明】
【技術分野】
【０００１】
本発明は、端子箱、特にスピンドルモータ用端子箱に関する。
【背景技術】
【０００２】
通常、スピンドルモータなどには、例えば特許文献１に示されるような端子箱が設けられている。端子箱は、端子台または端子などを収納すると共に、これらの接続および保護を行う役目を果たしている。図６（ａ）および図６（ｂ）は、従来技術における端子箱の固定状態を説明するための図である。図６（ａ）に示されるように、従来技術の端子箱１００は端子台８００および他の端子等を収納する箱部１２０と、箱部１２０の開口部を閉鎖する蓋部１１０とから構成されている。蓋部１１０の両端部には下方に延びる延長部６１０が備えられている。
【０００３】
図６（ａ）に示されるように、蓋部１１０には孔１５０が形成されており、箱部１２０には蓋部１１０の孔１５０に対応した位置に孔１６０が形成されている。そして、蓋部１１０を箱部１２０に固定する際には、孔１５０と孔１６０とが整列するように蓋部１１０を箱部１２０上に設置する。次いで、図６（ｂ）に示されるようにネジ３１０をこれら孔１５０、１６０に通してネジ留めすることにより、蓋部１１０を箱部１２０に固定している（例えば、特許文献１参照。）。
【特許文献１】特開２００２−２９４５４９号公報
【発明の開示】
【発明が解決しようとする課題】
【０００４】
しかしながら、従来技術においては蓋部１１０を箱部１２０に固定する固定作業は端子箱１００の製造業者と、当該端子箱１００を購入した使用者との両方が行っている。つまり、端子箱１００の製造業者は端子箱１００に対する所定の検査を行った後でネジ３１０により蓋部１１０を箱部１２０に固定した状態で端子箱１００を出荷する。一方、端子箱１００の使用者はネジ３１０を緩めて蓋部１１０を一旦、取外した後で端子箱１００内で配線作業を行い、次いでネジ３１０を用いて端子箱１００を再び固定している。すなわち、使用者は配線作業を行うために、製造業者が行った固定状態を必ず解除する必要がある。このような製造業者の固定作業および使用者の取外し作業は製造業者および使用者の両方にとって煩雑であり、また作業時間が遅延することにもなる。
【０００５】
しかも、通常は、ネジ３１０による固定作業は端子箱１００の四隅において行われているので、このような作業の煩雑さおよび作業時間の遅延は必要以上に大きい。
【０００６】
本発明はこのような事情に鑑みてなされたものであり、製造業者および使用者の両方において作業の合理化を図ることのできる端子箱を提供することを目的とする。
【課題を解決するための手段】
【０００７】
前述した目的を達成するために１番目に記載の発明によれば、電動機のハウジングに穿設されたケーブル引込み口に設けられ、電動機外部の電気ケーブルを電動機内部の電気ケーブルと接続するための端子台を保護するために、前記ケーブル引込み口を覆う箱部と該箱部の開口部を閉鎖する蓋部とからなる電動機の端子箱であって、前記電動機外部の電気ケーブルを前記端子台に接続したのち、前記箱部と前記蓋部とを本固定する本固定手段と、前記箱部と前記蓋部とを前記電動機外部の電気ケーブルを前記端子台に接続しないまま仮固定する仮固定手段とを具備する前記電動機の端子箱が提供される。
【０００８】
すなわち１番目の発明においては、仮固定手段を用いて仮固定状態で端子箱を出荷することが可能となるので、端子箱の製造業者が本固定手段を用いる必要はなく、また端子箱の使用者も仮固定手段を単に解除すれば端子箱内での配線作業が可能となり、製造業者および使用者の両方において作業の合理化を図ることができる。
【０００９】
２番目の発明によれば、１番目の発明において、前記仮固定手段がフック部材または板バネである。
すなわち２番目の発明においては、仮固定手段を容易に形成することが可能となる。なお、仮固定手段としてフック部材を用いるときには、フック部材を閉鎖方向に付勢する付勢手段、例えばバネを備えることが好ましい。
【００１０】
３番目の発明によれば、２番目の発明において、さらに、前記フック部材または板バネのためのストッパを具備する。
すなわち３番目の発明においては、仮固定手段による仮固定状態において蓋部を持ち上げたときなどに、蓋部が箱部から抜落ちるのを防止することができる。
４番目の発明によれば、１番目の発明において、前記仮固定手段が前記箱部に付加された部材と前記蓋部に付加された部材とを嵌合させて形成されている。
すなわち４番目の発明においては、仮固定手段を極めて容易に形成することができる。４番目の発明における仮固定手段の各部材は箱部および蓋部と一体的であるのが好ましい。
【００１１】
５番目の発明によれば、１番目から４番目のいずれかの発明において、前記本固定手段がネジである。
すなわち５番目の発明においては、本固定手段を極めて容易に形成することが可能となる。なお、本固定手段としてのネジは端子箱の四隅に設けられているのが好ましい。
【発明の効果】
【００１２】
各発明によれば、製造業者および使用者の両方において作業の合理化を図ることができるという共通の効果を奏しうる。
【００１３】
さらに、２番目の発明によれば、仮固定手段を容易に形成することができるという効果を奏しうる。
さらに、３番目の発明によれば、蓋部が箱部から抜落ちるのを防止することができるという効果を奏しうる。
さらに、４番目の発明によれば、仮固定手段を極めて容易に形成することができるという効果を奏しうる。
さらに、５番目の発明によれば、本固定手段を極めて容易に形成することができるという効果を奏しうる。
【発明を実施するための最良の形態】
【００１４】
以下、添付図面を参照して本発明の実施形態を説明する。以下の図面において同一の部材には同一の参照符号が付けられている。理解を容易にするために、これら図面は縮尺を適宜変更している。
図１（ａ）は、本発明の第一の実施形態に基づく端子箱を備えた電動機のロータ軸に沿った断面図である。この実施形態においては、端子箱１０を工作機械の主軸駆動用電動機に適用した例を示している。図１（ａ）においては、符号１は電動機のハウジングであり、２は固定子、３はロータ、４はロータ軸、５は電動機を冷却するファンである。ハウジング１には、固定子２の各相巻線の口出し線７をハウジング１の外方へ引出すための口出し線用孔９が設けられている。ハウジング１には、端子台８０を一体的に備えた端子箱１０が取付けられており、前記口出し線用孔９から取り出された各相の口出し線７はこの端子箱内に導かれてその先端は端子台８０の圧接端子８３によって導電板８１に接続されている。
【００１５】
図１（ｂ）は、図１（ａ）に示される端子箱の蓋部が無い状態を上方からみたときの図である。図１（ａ）および図１（ｂ）においては、各固定子巻線の口出し線７、７、７の先端は、端子台８０に設けられた圧接端子８３、８３、８３のネジ８２、８２、８２によって、各導電板８１、８１、８１に電気的に接続されている。また、各導電板８１、８１、８１の他端には電源ケーブル７０、７０、７０を接続する圧接端子８４、８４、８４が設けられ、各相の電源ケーブル７０、７０、７０がそれぞれ圧接端子のネジ８２によって各々の導電板８１、８１、８１に接続されている。なお、図１（ｂ）においては、３端子の接続例を示している。
【００１６】
図２（ａ）は本発明の第一の実施形態に基づく端子箱の側断面図であり、図２（ｂ）は図２（ａ）に示される端子箱の平面図である。図２（ａ）に示されるように、端子箱１０は、底部と側部からなる箱部１２と、この箱部１２の開口部を閉鎖する蓋部１１とから主に構成されている。なお、図２（ａ）等においては端子台８０を除く一部の部材については図示を省略する。
【００１７】
図示されるように蓋部１１は箱部１２の外寸よりも大きく、また図２（ｂ）から分かるように蓋部１１の両端部にはフック部材２０が取付けられている。これらフック部材２０のそれぞれは、プレート部２１とプレート部２１の先端からプレート部２１に対して垂直方向内側に延びる突出部２２とを含んでいる。このような構成であるために、フック部材２０の断面は略Ｌ字形状である。図示されるように、突出部２２の突出長さは、蓋部１１の外寸と箱部１２の外寸との間の差の半分に概ね等しい。
【００１８】
プレート部２１の基端は蓋部１１の端部に設けられた軸部２５に回動可能に係合している。軸部２５周りには図示しない付勢部材、例えばバネが配置されている。これら付勢部材は、通常は、フック部材２０のプレート部２１が蓋部１１に対して垂直向きになるようにフック部材２０を付勢している。また、図示されるように、プレート部２１の基端内側には切欠部２６が形成されている。
【００１９】
図１（ｂ）および図２（ａ）に示されるように、箱部１２の開口部外方においては、ストッパ２９がフック部材２０に対応する位置に設けられている。図１（ｂ）および図２（ｂ）を比較して分かるように、ストッパ２９の幅はフック部材２０の幅に概ね等しい。
【００２０】
さらに、図２（ｂ）に示されるように、蓋部１１の四隅には孔１５が形成されている。これら孔１５は、蓋部１１を箱部１２上に適切に配置したときに箱部１２を構成する部材の厚さ部分に位置するように形成されている。一方、箱部１２の厚さ部分にも、蓋部１１の孔１５に対応する四つの孔１６が形成されている。これら孔１５、１６の内壁には同一寸法のネジ山部（図示しない）が形成されている。
【００２１】
蓋部１１を箱部１２に適切に配置すると、蓋部１１の孔１５と箱部１２の孔１６とが互いに整列するようになる。図２（ａ）においては、ネジ３１が蓋部１１の孔１５および箱部１２の孔１６に挿入されており、蓋部１１と箱部１２とが堅固に固定されている。このようにネジ３１によって蓋部１１と箱部１２とが固定される場合には、端子箱１０は内部の端子台８０等を保護するのに十分な防水性および防塵性を有している。
【００２２】
しかしながら、製造業者が蓋部１１と箱部１２とが組み付けられた端子箱１０を出荷する場合には、このような防水性および防塵性までは必要とされず、蓋部１１と箱部１２とを簡易かつ迅速に組み付けて端子箱１０を出荷することが望ましい。
【００２３】
図３（ａ）から図３（ｃ）は、本発明の第一の実施形態に基づく端子箱の固定状態を説明するための図である。はじめに、図３（ａ）に示されるように、蓋部１１を箱部１２の上方に位置決めする。次いで、図３（ｂ）において矢印Ｘ１、Ｘ２により示されるように、両方のフック部材２０のプレート部２１を軸部２５周りに外側に回動させる。これにより、切欠部２６が蓋部１１の端部に係合してフック部材２０がこの位置で停止する。この状態においては、二つのフック部材２０のそれぞれの突出部２２の間の距離が、箱部１２の側面に設けられた二つのストッパ２９の間の距離よりも大きくなる。
【００２４】
次いで、蓋部１１が箱部１２に接触するまで蓋部１１を矢印Ｚ方向に移動させる。次いで、切欠部２６と蓋部１１の端部との間の係合を解除すると、フック部材２０は軸部２５周りの付勢部材によって元位置まで戻る、すなわちフック部材２０のプレート部２１が蓋部１１に対して垂直になる。このとき、図３（ｃ）に示されるように、フック部材２０の突出部２２は箱部１２のストッパ２９よりも下方に位置し、フック部材２０の突出部２２がストッパ２９の外面よりも内側に位置するようになる。このため、端子箱１０の蓋部１１のみを上方に持上げたとしても、蓋部１１が箱部１２から離脱することはなく、端子箱１０が仮固定される。このように端子箱１０が仮固定状態にあるときには前述した防水性および防塵性は得られないものの、端子箱１０を出荷するのに十分な固定状態が得られる。すなわち、本発明においては端子箱１０の製造業者は単にフック部材２０を用いて端子箱１０を仮固定して出荷すればよい。従って、本発明においては、端子箱１０の製造業者はネジ３１を用いて蓋部１１と箱部１２とを固定する煩雑な作業を行う必要がなく、端子箱１０を固定するのに要する時間を縮減することが可能となる。
【００２５】
一方、製造業者から端子箱１０を購入した使用者は、フック部材２０を単に外側に回動して蓋部１１を持ち上げることによって、蓋部１１を箱部１２から取外し、端子箱１０内での配線作業を開始することができる。つまり、本発明においては端子箱１０の使用者においても、ネジ３１、例えば四つのネジを逐一取外す必要がないので、蓋部１１を箱部１２から取外すのに要する時間を縮減することができる。
【００２６】
なお、端子箱１０内での配線作業後においては使用者はネジ３１を蓋部１１の孔１５および箱部１２の孔１６に通してネジ留めし、それにより、防水性および防塵性を有するように端子箱１０を固定することができる（図２（ａ）を参照されたい）。
【００２７】
また、本発明の第一の実施形態において、軸部２５周りに配置された図示しないバネを備えていない構成であってもよい。このような場合には、蓋部１１を箱部１２上に配置した後に、切欠部２６が蓋部１１の端部に係合した状態のフック部材２０を使用者自身が元位置まで戻す必要がある。軸部２５周りのバネを備えていない場合には、フック部材２０と軸部２５との間の摩擦は、蓋部１１を持上げたときに突出部２２がストッパ２９と係合するフック部材２０が軸部２５回りに回動しない程度に十分に大きい。従って、軸部２５周りのバネを備えていない場合であっても、端子箱１０の仮固定時に蓋部１１が箱部１２から離脱することはなく、前述したのと同様な効果を得ることができる。
【００２８】
図４は、本発明の第二の実施形態に基づく端子箱の側断面図である。図４に示される実施形態においては、フック部材２０の代わりに、板バネ４０が蓋部１１の両端部に取付けられている。図示されるように、板バネ４０は、蓋部１１の端部に固定される固定部４１と、付勢手段としての役目を果たす湾曲部４２と、箱部１２の側面に係合する係合部４３とを含んでいる。固定部４１には孔が形成されているので、板バネ４０はネジ５１によって蓋部１１に取付けられている。また、箱部１２の側面には、ストッパ２８が設けられている。
【００２９】
このような実施形態においては、板バネ４０の湾曲部４２を外側に曲げる力を作用させることにより、二つの板バネ４０のそれぞれの係合部４３の間の距離を、箱部１２の側面に設けられた二つのストッパ２８の間の距離よりも大きくする。次いで、蓋部１１を箱部１２に接触させて、板バネ４０に働く力を解除すると、板バネ４０は図４に示される位置まで戻る。このとき、板バネ４０の係合部４３はストッパ２８の下方において箱部１２に係合する。従って、蓋部１１を持上げた場合であっても、蓋部１１は箱部１２から離脱せず、前述したのと同様に端子箱１０が仮固定されるようになる。それゆえ、図４に示される実施形態においても前述した第一の実施形態の場合と同様な効果が得られるのは明らかである。
【００３０】
図５（ａ）および図５（ｂ）は本発明の第三の実施形態に基づく端子箱の固定状態を説明するための図である。これら図面に示されるように、蓋部１１の両端部には蓋部１１に対して垂直方向下方に延びる延長部６１が付加されている。さらに、延長部６１の先端には内側に突出する突出部６２が設けられている。図示される実施形態においては、これら延長部６１および突出部６２は蓋部１１と一体的に形成された部材である。さらに、箱部１２の開口部外方においては、ストッパ６５が付加されている。これらストッパ６５も箱部１２と一体的に形成された部材である。
【００３１】
図５（ａ）に示されるように蓋部１１を箱部１２の上方に適切に配置した後で、矢印Ｙ１、Ｙ２により示されるように延長部６１の先端を外側に付勢する。これにより、延長部６１の主要部分における弾性変形によって、延長部６１が外側に拡張する。二つの突出部６２の間の距離を二つのストッパ６５の間の距離よりも大きくした後で、蓋部１１を箱部１２に設置する。次いで、延長部６１を解放すると、延長部６１は元位置まで戻る。
【００３２】
図５（ｂ）に示されるように、このときには延長部６１の突出部６２が箱部１２のストッパ６５よりも下方に位置すると共に、突出部６２がストッパ６５の外面よりも内側に位置するようになる。従って、端子箱１０の蓋部１１のみを上方に持上げたとしても、蓋部１１が箱部１２から離脱することはなく、端子箱１０は仮固定され、前述した実施形態と同様の効果を得ることができる。
【００３３】
図面を参照して説明した実施形態においてはフック部材２０または板バネ４０によって蓋部１１と箱部１２とを仮固定しているが、仮固定を行う仮固定手段はフック部材２０または板バネ４０に限定される必要はなく、蓋部１１と箱部１２を仮固定することのできるあらゆる手段が含まれるものとする。また、端子箱１０が二つ以上のフック部材２０または板バネ４０を含む構成としてもよい。
【図面の簡単な説明】
【００３４】
【図１】（ａ）本発明の第一の実施形態に基づく端子箱を備えた電動機のロータ軸に沿った断面図である。（ｂ）図１（ａ）に示される端子箱の蓋部が無い状態を上方からみたときの図である。
【図２】（ａ）本発明の第一の実施形態に基づく端子箱の側断面図である。（ｂ）図２（ａ）に示される端子箱の平面図である。
【図３】（ａ）本発明の第一の実施形態に基づく端子箱の固定状態を説明するための第一の図である。（ｂ）本発明の第一の実施形態に基づく端子箱の固定状態を説明するための第二の図である。（ｃ）本発明の第一の実施形態に基づく端子箱の固定状態を説明するための第三の図である。
【図４】本発明の第二の実施形態に基づく端子箱の側断面図である。
【図５】（ａ）本発明の第三の実施形態に基づく端子箱の固定状態を説明するための第一の図である。（ｂ）本発明の第三の実施形態に基づく端子箱の固定状態を説明するための第二の図である。
【図６】（ａ）従来技術における端子箱の固定状態を説明するための第一の図である。（ｂ）従来技術における端子箱の固定状態を説明するための第二の図である。
【符号の説明】
【００３５】
１０    端子箱
１１    蓋部
１２    箱部
１５、１６    孔
２０    フック部材
２１    プレート部
２２    突出部
２５    軸部
２６    切欠部
２８    ストッパ
２９    ストッパ
３１    ネジ
４０    板バネ
４１    固定部
４２    湾曲部
４３    係合部
５１    ネジ
６１    延長部
６２    突出部
６５    ストッパ
８０    端子台
【図１】
2006149060.tif 000003
【図２】
2006149060.tif 000004
【図３】
2006149060.tif 000005
【図４】
2006149060.tif 000006
【図５】
2006149060.tif 000007
【図６】
2006149060.tif 000008